(57)【要約】【課題】光ファイバを電気ケーブル用のコネクタに直接接続する。【解決手段】光電変換部４と、この光電変換部４に接続された電極端子５と、光ファイバ１５の端面１５ａが前記光電変換部４に対して位置決めされるように前記光ファイバ１５を保持できる光ファイバ保持部２０とが、ハウジング２、３内に収容されていることを特徴とする光電気コネクタ（コネクタ）１を提供する。このコネクタ１によれば、ハウジング２、３内に保持された光ファイバ１５と電極端子５とを、光電変換部４を介して接続することができ、装置の小型化が達成できるとともに、光ファイバ１５を電気ケーブル用のコネクタに接続することが可能となる。【選択図】  図１
2004191555.tif 000002
【特許請求の範囲】
【請求項１】
光電変換部（４）と、この光電変換部に接続された電極端子（５）と、光ファイバ（１５）の端面（１５ａ）が前記光電変換部に対して位置決めされるように前記光ファイバを保持できる光ファイバ保持部（２０）とが、ハウジング（２、３）内に収容されていることを特徴とする光電気コネクタ（１）。
【請求項２】
前記光ファイバ保持部は、基体（２１）と、この基体に重ね合わされる蓋体（２２）とを備え、
基体または蓋体のいずれか一方または両方には、光ファイバ保持部に挿入された光ファイバを位置決めする位置決め溝（２３）が形成されており、
前記光ファイバは、互いに重ねあわされた基体と蓋体とをクランプ部材（２４）により一体にクランプすることで、前記位置決め溝に位置決めされて固定されるようになっていることを特徴とする請求項１に記載の光電気コネクタ。
【請求項３】
光電変換部（４）と、この光電変換部に接続された電極端子（５）と、前記光電変換部に対して位置決めされた光ファイバ（１６）と、この光ファイバに対して光接続可能に光ファイバ（１５）を位置決めして保持できる光ファイバ保持部（４０、６０）とが、ハウジング内に収容されていることを特徴とする光電気コネクタ（３１）。
【発明の詳細な説明】
【０００１】
【発明の属する技術分野】
本発明は、光通信、光計測などに用いられる光電気コネクタに関する。
【０００２】
【従来の技術】
従来、ローカルエリアネットワーク（ＬＡＮ）等を用いた光通信においては、伝送路側などの光ファイバと、ＬＡＮや端末機器などの側の電気ケーブルとを接続するため、メディアコンバータなどが用いられている。
メディアコンバータは、一般に、光ファイバと、ツイストペア線や同軸ケーブルなどの電気ケーブルとが接続されるようになっており、光ファイバにより伝達された光信号を電気信号に変換して電気ケーブルに送出し、また、電気ケーブルにより伝達された電気信号を光信号に変換して光ファイバに送出するための光電変換機能を備えている（例えば、特許文献１参照）。
【０００３】
【特許文献１】
米国特許第４７６７１６８号明細書
【０００４】
【発明が解決しようとする課題】
ところで、この種のメディアコンバータにおいて、光ファイバと電気ケーブルとを接続するためには、光ファイバと電気ケーブルとをそれぞれコネクタ（プラグなど）で成端し、メディアコンバータに設けられたコネクタ（レセプタクル、ジャックなど）に上記コネクタ（プラグ）をコネクタ接続することで行うことが一般的である。このように、メディアコンバータには、光ファイバと電気ケーブルとの両方をそれぞれコネクタ接続するため、装置が比較的大型となり、高密度の実装が難しい。
【０００５】
また、通信の高速化を図るため、電気信号による通信システムを光通信システムに切り換えたい場合でも、光ファイバを接続可能なコネクタが設けられていることは少ないので、端末機器には電気ケーブルを接続することができても、光ファイバを接続することはできない。端末機器に光ファイバを接続するためには、光電変換を行うメディアコンバータが必要となり、通信システムの構築を容易に行うことができないなどの不満がある。
【０００６】
本発明は上記事情に鑑みてなされたものであって、光ファイバを電気ケーブル用のコネクタに接続することが可能な光電気コネクタを提供することを課題とする。
【０００７】
【課題を解決するための手段】
前記課題を解決するため、本発明は、光電変換部と、この光電変換部に接続された電極端子と、光ファイバの端面が前記光電変換部に対して位置決めされるように前記光ファイバを保持できる光ファイバ保持部とが、ハウジング内に収容されていることを特徴とする光電気コネクタを提供する。
このような光電気コネクタによれば、ハウジング内に引き込まれた光ファイバと、電極端子とが、光電変換部を介して接続されるので、装置の小型化が達成できるとともに、光ファイバを電気ケーブル用のコネクタに接続することが可能となる。
【０００８】
この光電気コネクタにおいては、前記光ファイバ保持部は、基体と、この基体に重ね合わされて前記位置決め溝を覆う蓋体とを備え、基体または蓋体のいずれか一方または両方には、光ファイバ保持部に挿入された光ファイバを位置決めする位置決め溝が形成されており、前記光ファイバは、互いに重ねあわされた基体と蓋体とをクランプ部材により一体にクランプすることで、前記位置決め溝に位置決めされて固定されるようになっているものであることが好ましい。
このような光ファイバ保持部を備えた光電気コネクタによれば、クランプ部材のクランプを解除して基体と蓋体との間に隙間を生じさせ、光ファイバを挿入して位置決め溝に位置決めし、さらにクランプ部材で基体と蓋体とをクランプすることにより、光ファイバを、光電変換部に対して位置決めする作業を容易かつ確実に行うことができる。
【０００９】
さらに本発明は、光電変換部と、この光電変換部に接続された電極端子と、前記光電変換部に対して位置決めされた光ファイバと、この光ファイバに対して光接続可能に光ファイバを位置決めして保持できる光ファイバ保持部とが、ハウジング内に収容されていることを特徴とする光電気コネクタを提供する。このような光電気コネクタによれば、ハウジング内に引き込まれた光ファイバと、電極端子とが、光電変換部およびこの光電変換部に対して位置決めされた上記光ファイバを介して接続されるので、装置の小型化が達成できるとともに、光ファイバを電気ケーブル用のコネクタに接続することが可能となる。
【００１０】
【発明の実施の形態】
以下、実施の形態に基づいて、本発明を詳しく説明する。
図１は、本発明の光電気コネクタを示す縦断面図であり、図２は、斜視図である。図３は、図１に示す光電気コネクタの光ファイバ保持部を示す横断面図である。
【００１１】
この光電気コネクタ１（以下、単にコネクタという）は、ＲＪ型プラグとしての様態を有しており、図示しないコネクタ（レセプタクル、ジャックなど）に挿入されて、嵌合、係合によりコネクタ接続されるコネクタハウジング２と、このコネクタハウジング２の後端側（接続側と反対の側、図１の右方）に取り付けられた後部ハウジング３と、光ファイバ１５を保持する光ファイバ保持部２０と、光ファイバ１５の端面１５ａに対向して配置され、光ファイバ１５と光接続される光電変換部４とを備えている。
【００１２】
光電変換部４および光ファイバ保持部２０はハウジング２、３の内部に形成される内部空間２ａに配置されて収容されている。
コネクタハウジング２の前端側（接続側、図１の左方）には、光電変換部４に電気的に接続された電極端子５が設けられている。コネクタハウジング２は、側面に抜け止めのためのラッチ８を備えている。このラッチ８は自身の弾性により上方に弾発しており、コネクタ１をレセプタクル等に挿入したとき、ラッチ８の係止部８ａがレセプタクル等の係合部に係合することで接続される。また、ラッチ８のレバー８ｂを押し込むことで、上述の係合が解除され、コネクタ１を抜去することができるものである。
電極端子５の個数やピッチは、特に限定されないが、仕様に応じて種々のものを採用することができる。
【００１３】
光ファイバ１５は、ここでは、光ファイバ１０（光ファイバコード）の先端の外皮１１を除去して露出された光ファイバ１３（光ファイバ心線）から、さらに被覆１４を除去して口出しされた裸光ファイバであり、光ファイバ保持部２０の位置決め溝２３（後述）により、光電変換部４に対して位置決めされるように保持される。光ファイバ１５の端面１５ａと光電変換部４との間隔は、接続損失が充分低くなるように、適宜調整される。光ファイバ１０、１３は、単心でも、多心でもよい。
【００１４】
光ファイバ１０の外皮１１の除去により露出されたアラミドヤンなどの抗張力繊維１２は、後部ハウジング３の後端部に、かしめリング６によりかしめ固定される。また、後部ハウジング３の後端部から露出した光ファイバ１０は、後部ハウジング３の接続方向後端側に取り付けられたブーツ７に収納されることにより、コネクタ１の後端部付近での急激な曲げ等が防止されている。
【００１５】
図２、図３に示すように、光ファイバ保持部２０は、概略二つ割り構造になっており、共に細長形状に形成された基体２１および蓋体２２を備えている。
ここでは、基体２１および蓋体２２は、断面略半円状のものとして図示されているが、特にこれに限定されるものではない。
【００１６】
基体２１の蓋体２２が重ね合わされる合わせ面２１ａには、光ファイバ１５を位置決めして調心する位置決め溝２３が、基体２１の長手方向に沿って延在形成されている。この位置決め溝２３は、例えば図３に示すようなＶ溝である。位置決め溝２３は、少なくとも、光ファイバ１０から口出しされる光ファイバ１５の本数分設けられる。なお、位置決め溝２３は、Ｕ溝、丸溝などでもよい。
位置決め溝２３は、必ずしも基体２１の長手方向の全長に亘って形成する必要はない。例えば、光ファイバ保持部２０の後端側（図１の右側）に光ファイバ１３の被覆１４を収容する空間を形成して、位置決め溝２３を上記被覆収容空間より前端側の部分のみに設けることも可能である。
【００１７】
基体２１および蓋体２２は、Ｃ字状（またはコ字状）のバネであるクランプ部材２４のクランプ力によって、一体化された状態が維持されるようになっている。図２に示すように、後部ハウジング３の側面には、楔（図示略）を挿入する楔挿入穴３ａが設けられている。コネクタ１は、楔挿入穴３ａから、基体２１と蓋体２２との間に楔を圧入することにより、クランプ部材２４のクランプ力に抗して基体２１と蓋体２２とを押し開くことができるようになっている。
【００１８】
光電変換部４は、コネクタハウジング２の接続方向先端部（図１の左側）に露出された電極端子５と電気的に接続されている。光電変換部４は、光電変換部固定台４ａに、光ファイバ保持部２０に保持された光ファイバ１５の端面１５ａに対向するように配置されている。
光電変換部固定台４ａは、ここでは、基体２１と一体に、該基体２１の一端から延出されて設けられている。但し、光電変換部固定台４ａを基体２１と別体とし、例えばねじによる螺合、爪や凹凸などによる係合や嵌合、接着剤を用いた接着などにより、光電変換部固定台４ａと基体２１とを固定してもよい。
【００１９】
光電変換部４は、電極端子５を介して入力された電気信号を光信号に変換して光ファイバ１５に送出し、もしくは、光ファイバ１５を介して入力された光信号を電気信号に変換して電極端子５に送出する機能を有する。具体的には、例えば、フォトダイオード（ＰＤ）などの受光素子、レーザダイオード（ＬＤ）などの半導体レーザ等である発光素子に代表される受発光部が、光ファイバ１５の端面１５ａに対して光接続可能に位置決めされており、前記受発光部と電極端子５との間に接続された図示しない信号処理回路が、光信号と電気信号との変換を行うようになっている。
光ファイバ１５が複数本である場合には、受発光素子は、複数のＰＤやＬＤを並設してなるＰＤアレーやＬＤアレーを用いることが好ましい。また、アレーの並びピッチを位置決め溝２３のピッチに合わせておけば、複数の光ファイバ１５の端面の位置とそれに対応する受発光素子の位置とを一括して合わせることができる。光ファイバ１５の端面と受発光素子とを位置合わせするため、光ファイバ１５の端面１５ａと光電変換部４との間に適当なレンズ等を介在させても良い。
【００２０】
次にこのコネクタ１を光ファイバ１０の先端に組み立てる方法の一例を説明する。ここでは、コネクタ１を光ファイバ１０先端に取り付けるには、光電変換部４と、これと一体になっている光ファイバ保持部２０とを、ハウジング２、３に収納してコネクタ１を組み立て、このコネクタ１を光ファイバ１０先端に口出しされた光ファイバ１５に取り付ける。
【００２１】
但し、ハウジング２、３の構造が、光ファイバ保持部２０を収容した後部ハウジング３に対して、コネクタハウジング２を後付けで組み付けることができる構造であれば、光ファイバ保持部２０での光ファイバ１５の位置決め保持を、コネクタ１の組み立てに先行して行った後、後部ハウジング３に光ファイバ保持部２０を収容し、さらに、後部ハウジング３の端部から突出する光電変換部固定台４ａや光電変換部４、電極端子５が、コネクタハウジング２の内部空間２ａに収容されるように、後部ハウジング３にコネクタハウジング２を取り付けてコネクタ１を組み付ける手順も採用可能である。この場合、光ファイバ１０には予めブーツ７を通しておく。
【００２２】
光ファイバ保持部２０に光ファイバ１５を位置決め保持するためには、まず、図２、図３（ａ）、（ｂ）に示すように、基体２１および蓋体２２の合わせ面２１ａ、２２ｂの間に形成された楔溝２５に楔を圧入することにより、クランプ部材２４のクランプ力に抗して、基体２１と蓋体２２との間を押し開く。楔を圧入したままとして、基体２１と蓋体２２との間が離間された状態を維持しておき、この状態で、後部ハウジング３の後端側から、口出しされた光ファイバ１５を挿入して、位置決め溝２３の上に載せ、端面１５ａが光電変換部４と接続できる位置まで押し込んでいく。
【００２３】
さらに、基体２１と蓋体２２との間の楔溝２５から、楔を引き抜くと、図３（ｃ）に示すように、基体２１と蓋体２２とがクランプ部材２４のクランプ力により一体化され、光ファイバ１５が基体２１と蓋体２２の間に挟まれて保持される。
このようにして光ファイバ１５を光ファイバ保持部２０に保持させることにより、該光ファイバ１５の端面１５ａが光電変換部４に対向するように配置され、光ファイバ１５と電極端子５とが、光電変換部４を介して接続される。光ファイバ１５は光ファイバ保持部２０によりしっかりと保持されるので、該光ファイバ１５の端面１５ａと光電変換部４との間の光接続は、十分に低損失な接続状態を維持するようになる。
【００２４】
このコネクタ１のコネクタハウジング２を電子機器などのコネクタに挿入して、電極端子５を上記電子機器と電気的に接続させることにより、上記電子機器と光ファイバ１０との間で信号が伝達される。
つまり、光ファイバ１０により伝送される光信号を光電変換部４により電気信号に変換して電極端子５から出力したり、電極端子５から入力された電気信号を光電変換部４により光信号に変換してから光ファイバ１０に伝送させることなどができる。
【００２５】
光電変換部固定台４ａが光ファイバ保持部２０に対して固定されている（具体的には基体２１と一体に形成されている）ので、光ファイバ保持部２０と光電変換部４との位置関係が常に一定の関係を維持することになる。この結果、光ファイバ保持部２０に光ファイバ１５を一定の手順で挿入して保持させるだけで、光ファイバ１５と光電変換部４との間の低損失な接続状態を安定して得ることができ、損失のばらつきが発生しにくくなるという優れた効果を奏する。
【００２６】
次に、本発明の光電気コネクタ（コネクタ）の第２の実施の形態について、図４、図５を参照しながら説明する。図４は、本実施の形態のコネクタの外観を示す縦断面図、図５は、このコネクタの光ファイバ保持部に光ファイバを挿入する様子を示す側面図である。
図４、図５において、図１〜３と同一の符号は、図１〜３に示した構成と同様のものを示し、重複する説明を省略する。
【００２７】
このコネクタ３１の光ファイバ保持部４０は、概略棒状となっている。光ファイバ保持部４０の前端側（図４、図５における左側）は、光ファイバ保持部４０の長手方向に沿った光ファイバ穴４５ａを有する光ファイバ固定部４５となっている。
ここでは、光電変換部固定台４ａは、図４に示すように、光ファイバ固定部４５の前端側に突出して一体に形成されている。但し、上述した第１の実施の形態のコネクタ１における光電変換部固定台４ａと同様に、光電変換部固定台４ａを光ファイバ保持部４０と別体に形成して、光ファイバ固定部４５に対して適当な方法により固定してもよい。
【００２８】
光ファイバ固定部４５は、光ファイバ穴４５ａに光ファイバ１６を挿入することにより、該光ファイバ１６の一方の端面１６ｂを光電変換部４に対向して位置決めして、光ファイバ１６を保持固定できるようになっている。
光ファイバ１６の他方の端面１６ａは、光ファイバ固定部４５より後端側に露出されている。
【００２９】
光ファイバ１６は、必要に応じて、接着剤を用いて光ファイバ穴４５ａに接着して固定することもできる。
光ファイバ１６の端面１６ｂと光電変換部４との間は、適当な接着剤等を充てんし、または付着させておくことにより、屈折率整合を行っておいてもよい。これにより、光信号の反射を抑制して、光ファイバ１６と光電変換部４との光接続の損失を低減することができる。
【００３０】
光ファイバ固定部４５よりも後端側は、光ファイバ固定部４５に固定された光ファイバ１６と、光ファイバ１０（光ファイバコードなど）から口出しされた光ファイバ１５（裸光ファイバ）とを突き合わせ接続するための光ファイバ接続部４６となっている。
【００３１】
光ファイバ接続部４６は、２つ割り構造となっており、Ｖ溝などの位置決め溝４３を有する基体４１と、この基体４１に重ね合わされて、上記位置決め溝４３を覆う蓋体４２とを備えている。ここでは、基体４１は、光ファイバ固定部４５と一体に形成されている。
基体４１および蓋体４２は、Ｃ字状（またはコ字状）のバネであるクランプ部材４４のクランプ力により、一体化された状態が維持されるようになっている。
【００３２】
光ファイバ接続部４６は、光ファイバ１５、１６を位置決め溝４３により位置決めし、各光ファイバ１５、１６の端面１５ａ、１６ａを向かい合わせた状態で基体４１と蓋体４２とをクランプすることにより、光ファイバ１５を保持して、光ファイバ１５、１６を突き合わせ接続することができるようになっている。
なお、光ファイバ１５、１６を突き合わせ接続するとは、光ファイバ１５、１６の端面１５ａ、１６ａをぴったり接触させて接続することのみならず、上記端面１５ａ、１６ａがわずかな間隔を介して向かい合い、充分に低い接続損失により、光ファイバ１５、１６の光接続を行うことをも含むものである。
必要に応じて、光ファイバ１５、１６の端面１５ａ、１６ａの間に、屈折率整合剤を注入することも有効である。これにより、当該端面１５ａ、１６ａ間の光反射を抑制して、接続損失を低減することができる。
【００３３】
このコネクタ３１を光ファイバ１０の先端に組み立てる方法の一例を説明する。例えば、光ファイバ１６を光ファイバ固定部４６に保持固定させたのち、上述したように、光電変換部４および光ファイバ保持部４０を、ハウジング２、３に収納してコネクタ３１を組み立て、このコネクタ３１を光ファイバ１０先端に口出しされた光ファイバ１５に取り付けて、光ファイバ保持部４０に光ファイバ１５を位置決め保持する方法が挙げられる。
【００３４】
光ファイバ保持部４０に光ファイバ１５を位置決め保持するためには、まず、図５に示すように、光ファイバ接続部４６の基体４１と蓋体４２との間に楔（図示略）を圧入して、基体４１と蓋体４２との間が押し広げられた状態とする。この状態で、後部ハウジング３の後端側から、口出しされた光ファイバ１５を挿入して位置決め溝４３の上に載せ、該光ファイバ１５の端面１５ａを、上記光ファイバ１６の端面１６ａに突き合わせる。
【００３５】
楔を基体４１と蓋体４２との間から引き抜いて、基体４１と蓋体４２との間を閉じることにより、基体４１と蓋体４２がクランプ部材４４によりクランプされて、光ファイバ１５が光ファイバ１６と突き合わせ接続された状態で維持される。
【００３６】
このようにして、光ファイバ１５を光ファイバ保持部４０に保持させることにより、光ファイバ１５と電極端子５とが、光ファイバ１６および光電変換部４を介して接続される。コネクタ３１のコネクタハウジング２を電子機器などのコネクタに挿入して、電極端子５を上記電子機器と電気的に接続させることにより、上記電子機器等と光ファイバ１０との間で信号のやりとりを行うことができる。光ファイバ１５、１６は、光ファイバ保持部４０にしっかりと保持されるので、接続の充分な信頼性を確保することができる。
【００３７】
本実施の形態においては、光ファイバ１６は、予め、その端面１６ｂが光電変換部４に対して対向するように、光ファイバ固定部４５に予め配置されて保持されている。このため、光ファイバ１５の光ファイバ保持部４０への挿入は、光ファイバ１５、１６が接続するように突き合わせるだけでよい。従って、光ファイバ１５を接続するときに、光ファイバ１６の端面１６ｂと光電変換部４との間隔などの調整を行う必要がなくなるので、光ファイバ１５の位置決め作業を一層容易に行うことができる。
両光ファイバ１５、１６間、および／または、光ファイバ１６と光電変換部４との間の屈折率整合を行った場合、光接続の損失を低減し、通信の信頼性を一層向上させることができる。
【００３８】
本発明の光電気コネクタ（コネクタ）の第３の実施の形態について、図６を参照しながら説明する。図６（ａ）は、本実施の形態のコネクタの光ファイバ保持部を示す側面図である。図６（ｂ）は、斜視図である。なお、図６（ｂ）では光ファイバの図示を省略している。
このコネクタは、上述した第２の実施の形態のコネクタ３１の改変例であり、光ファイバ保持部６０を除いて、コネクタ３１と同様に構成されている。
【００３９】
光ファイバ保持部６０の前端側（図６（ａ）における左側）は、光ファイバ保持部６０の長手方向に沿った光ファイバ穴６５ａを有する光ファイバ固定部６５となっている。また、光ファイバ固定部６５よりも後端側は、光ファイバ固定部６５に固定された光ファイバ１６に対して光ファイバ１５（裸光ファイバ）を突き合わせ接続するための光ファイバ接続部６６となっている。
【００４０】
光ファイバ接続部６６は、２つ割り構造となっており、Ｖ溝などの位置決め溝６３を有する基体６１と、この基体６１に重ね合わされて、上記位置決め溝６３を覆う蓋体６２とを備えている。ここでは、基体６１は、光ファイバ固定部６５と一体に形成されており、蓋体６２は、光ファイバ１６と光ファイバ１５との接続部を保持する中央蓋６２ａと、光ファイバ１５を保持する端部蓋６２ｂとに二分割されている。
Ｃ字状（またはコ字状）のバネであるクランプ部材６４のフランジ部６４ａ〜６４ｃは、蓋体６２の分割位置に合わせて形成されたスリット６により分割されている。
【００４１】
このように構成されたコネクタは、上述した第２の実施の形態のコネクタ３１と同様に、光ファイバ１６を、光ファイバ固定部６５に固定して保持することができる。また、光ファイバ１５を被覆１４の先端部とともに、クランプ部材６４のフランジ部６４ｃのクランプ力により、基体６１と端部蓋６２ｂとの間に保持することができる。そして、光ファイバ１５と光ファイバ１６との突き合わせ接続部を、クランプ部材６４のフランジ部６４ｂのクランプ力により、基体６１と中央蓋６２ａとの間に保持することができる。この結果、光ファイバ１５、１６は光接続した状態で保持され、光ファイバ１５と電極端子５とが、光ファイバ１６および光電変換部４を介して接続されるようになる。
【００４２】
以上、本発明を好適な実施の形態に基づいて説明してきたが、本発明はこの実施の形態のみに限定されるものではなく本発明の要旨を逸脱しない範囲で種々の改変が可能である。
例えば、上記実施の形態の形態では、ハウジング２、３は、二体構造としたが、特にこれに限定されるものではない。また、ハウジングの形状等や電極端子の仕様などは、本発明のコネクタと電気的に接続されるコネクタに合わせて適宜設計可能なものであり、ラッチや係合爪などの有無、形状等も、設計事項に過ぎない。
【００４３】
光ファイバ保持部としては、前述のように、基体と蓋体との間に光ファイバを挟みこんで位置決め溝で精密位置決めする構成に限定されず、光ファイバを光電変換部に対して直接精密位置決め保持できるか、あるいは予め光電変換部に対して位置決め済みの光ファイバに対して精密位置決め保持できる構成であればよく、各種構成を採用できる。例えば、位置決め手段としてマイクロキャピラリを利用したものや、３本の精密ロッドの間に光ファイバを保持する構造を利用したものなどが挙げられる。
【００４４】
【発明の効果】
以上説明したように、本発明の請求項１に記載の光電気コネクタは、光電変換部と、この光電変換部に接続された電極端子と、光ファイバの端面が前記光電変換部に対して位置決めされるように前記光ファイバを保持できる光ファイバ保持部とが、ハウジング内に収容されているので、ハウジング内で保持された光ファイバと電極端子とを光電変換部を介して接続することができ、装置の小型化が達成できるとともに、光ファイバを電気ケーブル用のコネクタに接続することが可能となる。
【００４５】
本発明の請求項２に記載の光電気コネクタは、前記光ファイバ保持部が、基体と、この基体に重ね合わされて前記位置決め溝を覆う蓋体とを備え、基体または蓋体のいずれか一方または両方には、光ファイバ保持部に挿入された光ファイバを位置決めする位置決め溝が形成されており、前記光ファイバは、互いに重ねあわされた基体と蓋体とをクランプ部材により一体にクランプすることで、前記位置決め溝に位置決めされて固定されるようになっているものであれば、融着接続や接着剤などによることなく、光ファイバを位置決めして光電変換部と接続することができ、光ファイバの位置決め、接続作業が容易になり、作業時間を短縮できるとともに、光ファイバの光ファイバ保持部からの着脱が可能になる。
【００４６】
本発明の請求項３に記載の光電気コネクタは、光電変換部と、この光電変換部に接続された電極端子と、前記光電変換部に対して位置決めされた光ファイバと、この光ファイバに対して光接続可能に光ファイバを位置決めして保持できる光ファイバ保持部とが、ハウジング内に収容されているものであるので、ハウジング内に引き込まれた光ファイバを、前記光電変換部に対して位置決めされた光ファイバと光接続するだけで、光ファイバと電極端子を、光電変換部を介して接続することができる。従って、装置の小型化が達成できるとともに、光ファイバを電気ケーブル用のコネクタに接続することが可能となる。
【図面の簡単な説明】
【図１】本発明の第１の実施の形態に係る光電気コネクタを示す縦断面図である。
【図２】図１に示す光電気コネクタの斜視図である。
【図３】図１に示す光電気コネクタの光ファイバ保持部を示す横断面図である。
【図４】本発明の第２の実施の形態の光電気コネクタを示す縦断面図である。
【図５】図４に示す光電気コネクタの光ファイバ保持部に光ファイバを挿入する様子を示す側面図である。
【図６】（ａ）本発明の第３の実施の形態の光電気コネクタの光ファイバ保持部を示す側面図である。（ｂ）クランプ部材を示す斜視図である。
【符号の説明】
１…光電気コネクタ（コネクタ）、２…ハウジング（コネクタハウジング）、３…ハウジング（後部ハウジング）、４…光電変換部、５…電極端子、１５…光ファイバ、１５ａ…光ファイバの端面、１６…光ファイバ、２０…光ファイバ保持部、２１…基体、２２…蓋体、２３…位置決め溝、２４…クランプ部材、３１…光電気コネクタ（コネクタ）、４０…光ファイバ保持部、６０…光ファイバ保持部。
【図１】
2004191555.tif 000003
【図２】
2004191555.tif 000004
【図３】
2004191555.tif 000005
【図４】
2004191555.tif 000006
【図５】
2004191555.tif 000007
【図６】
2004191555.tif 000008